(57)【要約】【課題】給湯流量センサ４と注湯流量センサ５の補正が適切か否かを検出し補正の更新処理により湯張り動作の改善を行う。【解決手段】流量補正手段１９で補正を行った流量値が適切かどうかかを判定する手段として、注湯待機判定手段１８により注湯電磁弁６を閉じて注湯待機状態に入った後、所定時間内に給湯栓１６の使用がないと判定した場合は流量補正が適切に行われていない流量補正異常と判断して再度注湯電磁弁６を開状態とする流量補正異常検出手段２１を備えたものである。【選択図】図１
2006329442.tif 000002
【特許請求の範囲】
【請求項１】
熱交換器に流れる流量を検出する給湯流量センサと、浴槽への注湯回路を開閉する注湯電磁弁と、浴槽への注湯流量を検出する注湯流量センサと、前記給湯流量センサの信号を流量値として検出する給湯流量検出手段と、前記注湯流量センサの信号を流量値として検出する注湯流量検出手段と、前記給湯流量検出手段と注湯流量検出手段の流量値から注湯動作中に給湯栓が使用されたか否かを検出する給湯使用検出手段と、前記給湯使用検出手段が給湯栓の使用を検出したとき前記注湯電磁弁を閉じ給湯栓の使用が終了するまで浴槽への注湯を待機する注湯待機判定手段と、前記給湯流量検出手段と注湯流量検出手段の流量差の補正を行う流量補正手段と、前記注湯待機判定手段により注湯電磁弁を閉じて注湯待機状態に入った後、所定時間内に給湯栓の使用がないと判定した場合は流量補正が適切に行われていない流量補正異常と判断して再度注湯電磁弁を開状態とする流量補正異常検出手段を備えた給湯機の制御装置。
【請求項２】
流量補正異常検出手段は、注湯待機状態に入った後、流量補正異常と判断して注湯再開を繰り返す回数をカウントする流量補正異常検出カウンタを備えた請求項１記載の給湯機の制御装置。
【請求項３】
流量補正異常検出手段と流量補正異常検出カウンタにより、流量の補正が正しくないと判定した場合には、注湯待機手段に注湯待機させない注湯待機無効判定手段を備えた請求項２記載の給湯機の制御装置。
【請求項４】
流量補正異常検出手段と流量補正異常検出カウンタにより、流量の補正が正しくないと判定した場合には、前記給湯流量検出手段と注湯流量検出手段の流量差の補正を行う流量補正異常時補正手段を備えた請求項３記載の給湯機の制御装置。
【請求項５】
流量補正異常時補正手段は、工場での検査状態か否かを判定する工場検査判定手段を備えた請求項４記載の給湯機の制御装置。
【発明の詳細な説明】
【技術分野】
【０００１】
本発明は、家庭用給湯機に関するものである。
【背景技術】
【０００２】
従来、例えば、ふろ給湯機では、給湯機の入水側の給湯流量センサと、浴槽への湯張り側に設ける注湯流量センサにより読み取る流量差を記憶して補正することにより、浴槽に湯を張る際に、給湯栓を使用したか否かの判断を、給湯流量センサと注湯流量センサの流量差が所定量以上ある場合に、給湯栓使用時の検出を精度よく行うことで、給湯栓使用時に流れる流量を増やすと共に、浴槽に湯を張る際に、給湯栓を使用したか否かの判断により場合によっては浴槽への注湯を待機することで、給湯側の使い勝手をよくしていた（例えば、特許文献１参照）。
【特許文献１】特開２００４−３４７１９２号公報
【発明の開示】
【発明が解決しようとする課題】
【０００３】
しかしながら、浴槽に湯を張る際に、給湯栓を使用した場合には浴槽への注湯を待機するため、給湯流量センサと注湯流量センサの補正値を誤って記憶すると、実際には、給湯栓の使用をしていないのに誤検出により給湯栓使用の検出を行い浴槽への注湯を待機してしまい浴槽への湯張りに時間を要するという課題があった。
【０００４】
本発明は、上記課題を解決するもので、給湯流量センサと注湯流量センサの補正値を誤って記憶した場合には、給湯流量センサと注湯流量センサの補正を再度行うことで、浴槽への注湯中に注湯を待機してしまい浴槽への湯張りに時間を要さないことを目的とする。
【課題を解決するための手段】
【０００５】
前記従来の課題を解決するために、本発明の給湯機の制御装置は、熱交換器に流れる流量を検出する給湯流量センサと、浴槽への注湯回路を開閉する注湯電磁弁と、浴槽への注湯流量を検出する注湯流量センサと、前記給湯流量センサの信号を流量値として検出する給湯流量検出手段と、前記注湯流量センサの信号を流量値として検出する注湯流量検出手段と、前記給湯流量検出手段と注湯流量検出手段の流量値から注湯動作中に給湯栓が使用されたか否かを検出する給湯使用検出手段と、前記給湯使用検出手段が給湯栓の使用を検出したとき前記注湯電磁弁を閉じ給湯栓の使用が終了するまで浴槽への注湯を待機する注湯待機判定手段と、前記給湯流量検出手段と注湯流量検出手段の流量差の補正を行う流量補正手段と、前記注湯待機判定手段により注湯電磁弁を閉じて注湯待機状態に入った後、所定時間内に給湯栓の使用がないと判定した場合は流量補正が適切に行われていない流量補正異常と判断して再度注湯電磁弁を開状態とする流量補正異常検出手段を備えた制御装置としたものである。
【０００６】
これによって、注湯電磁弁を開けて浴槽に注湯を開始すると、所定時間内に注湯弁を閉じてしまうことを検出すると、給湯流量センサと注湯流量センサの補正値を誤って記憶したと判断し、給湯流量センサと注湯流量センサの流量差により浴槽への湯張り中に給湯栓の使用を検出せずに湯張りを継続することで誤検出により浴槽への湯張りに時間がかかることをなくすこととなる。
【発明の効果】
【０００７】
本発明の給湯機の制御装置は、給湯流量センサと注湯流量センサの補正値を誤って記憶した場合には、給湯流量センサと注湯流量センサの補正を再度行うことで、給湯栓使用の誤検出をなくすことにより、浴槽への注湯中に注湯を待機してしまい浴槽への湯張りに時間要さないことができる。
【発明を実施するための最良の形態】
【０００８】
第１の発明は、熱交換器に流れる流量を検出する給湯流量センサと、浴槽への注湯回路を開閉する注湯電磁弁と、浴槽への注湯流量を検出する注湯流量センサと、前記給湯流量センサの信号を流量値として検出する給湯流量検出手段と、前記注湯流量センサの信号を流量値として検出する注湯流量検出手段と、前記給湯流量検出手段と注湯流量検出手段の流量値から注湯動作中に給湯栓が使用されたか否かを検出する給湯使用検出手段と、前記給湯使用検出手段が給湯栓の使用を検出したとき前記注湯電磁弁を閉じ給湯栓の使用が終了するまで浴槽への注湯を待機する注湯待機判定手段と、前記給湯流量検出手段と注湯流量検出手段の流量差の補正を行う流量補正手段と、前記注湯待機判定手段により注湯電磁弁を閉じて注湯待機状態に入った後、所定時間内に給湯栓の使用がないと判定した場合は流量補正が適切に行われていない流量補正異常と判断して再度注湯電磁弁を開状態とする流量補正異常検出手段を備えた制御装置とすることにより、注湯電磁弁を開けて浴槽に注湯を開始し給湯栓使用を検出して注湯電磁弁を閉じると、所定時間内に注湯弁を開けてしまうことを検出すると、給湯流量センサと注湯流量センサの補正値を誤って記憶したと判断し、給湯流量センサと注湯流量センサの流量差により浴槽への湯張り中に給湯栓の使用を検出せずに湯張りを継続することで誤検出により浴槽への湯張りに時間がかかることをなくすことができる。
【０００９】
第２の発明は、流量補正異常検出手段は、注湯待機状態に入った後、流量補正異常と判断して注湯再開を繰り返す回数をカウントする流量補正異常検出カウンタを備えた制御装置とすることにより、注湯電磁弁を開けて浴槽に注湯を開始すると、所定時間内に注湯弁を閉じてしまうことを複数回連続して検出すると、給湯流量センサと注湯流量センサの補正値を誤って記憶したと判断し、給湯流量センサと注湯流量センサの流量差により浴槽への湯張り中に給湯栓の使用を検出せずに湯張りを継続することで誤検出により浴槽への湯張りに時間がかかることをなくすことができる。
【００１０】
第３の発明は、流量補正異常検出手段と流量補正異常検出カウンタにより、流量の補正が正しくないと判定した場合には、注湯待機手段に注湯待機させない注湯待機無効判定手段を備えた制御装置とすることにより、注湯電磁弁を開けて浴槽に注湯を開始すると、所定時間内に注湯弁を閉じてしまうことを複数回連続して検出すると、給湯流量センサと注湯流量センサの補正値を誤って記憶したと判断し、給湯流量センサと注湯流量センサの流量差により浴槽への湯張り中に給湯栓の使用を検出しても注湯待機させずに湯張りを継続することで誤検出により浴槽への湯張りに時間がかかることをなくすことができる。
【００１１】
第４の発明は、流量補正異常検出手段と流量補正異常検出カウンタにより、流量の補正が正しくないと判定した場合には、前記給湯流量検出手段と注湯流量検出手段の流量差の補正を行う流量補正異常時補正手段を備えた制御装置とすることにより、注湯電磁弁を開けて浴槽に注湯を開始すると、所定時間内に注湯弁を閉じてしまうことを複数回連続して検出すると、給湯流量センサと注湯流量センサの補正値を誤って記憶したと判断し、給湯流量センサと注湯流量センサの流量差により浴槽への湯張り中に給湯栓の使用を検出しても注湯待機させずに湯張りを継続すると共に、給湯流量センサと注湯流量センサの補正を再度実施して補正値を更新することで誤検出により浴槽への湯張りに時間がかかることをなくすことができる。
【００１２】
第５の発明は、流量補正異常時補正手段は、工場での検査かどうかを判定する工場検査判定手段を備えた制御装置とすることにより、工場の検査時には、上記条件での給湯流量センサと注湯流量センサの補正を実施せずに、常に給湯流量センサと注湯流量センサの補正をおこなうことで、出荷時の流量補正値の信頼性を向上することができる。
【００１３】
以下、本発明の実施の形態について、図面を参照しながら説明する。なお、この実施の形態によって本発明が限定されるものではない。
【００１４】
（実施の形態１）
図１は本発明の実施の形態１における給湯機の構成図、図２は同給湯機の動作を示すフローチャートである。熱源機リモコン１は、熱源機と通信を行い自動湯張り等の操作指示を行う。熱交換器３はバーナ等で加熱され供給される水と熱交換して昇温する。給湯流量センサ４は熱交換器３内を流れる流量を検出する。注湯電磁弁６は熱交換器３で昇温した湯を浴槽７に注湯する際に開放し、注湯流量センサ５で浴槽７内に供給される注湯流量を検出する。前記給湯流量センサ４からの信号を給湯流量検出手段９で流量値として検出する。注湯流量検出手段１０は同様に前記注湯流量センサ５からの信号により流量値として検出する。給湯使用検出手段１１は給湯流量検出手段９と注湯流量検出手段１０で検出された流量値の差により給湯栓１６を使用しているか否かの判断をする。給湯流量所定量判定手段１２は給湯流量検出手段９が検出する給湯流量が所定量以上か否かを判定する。給湯流量安定判定手段１３は給湯流量検出手段９が検出する給湯流量が安定しているか否かを判定する。注湯流量所定量判定手段１４は注湯流量検出手段１０が検出する注湯流量が所定量以上か否かを判定する。注湯流量安定判定手段１５は注湯流量検出手段１０が検出する注湯流量が安定しているか否かを判定する。注湯待機判定手段１８は浴槽７への注湯中に前記給湯使用検出手段１１が給湯栓１６の使用を検出した場合に注湯電磁弁６を閉じて注湯を待機状態とするか否かを判定する。流量補正手段１９は注湯電磁弁６が開いて注湯中に給湯流量検出手段９と注湯流量検出手段１０の流量差を流量補正値として設定する。また、注湯流量検出手段１０は、前記流量補正手段１９からの流量補正値を加減算して注湯流量を補正する。工場検査判定手段２０は流量補正手段１９での給湯流量検出手段９と注湯流量検出手段１０の流量補正方法を工場検査時と市場にて使用される場合で区別する。
【００１５】
流量補正異常検出手段２１は流量補正の異常を検出するもので、熱源機リモコン１の自動湯張りスイッチをオンすると注湯動作が開始される。そして、この注湯動作において注湯電磁弁６を開けると給湯流量検出手段９と注湯流量検出手段１０からの流量差を判断して給湯使用検出手段１１が給湯栓１６の使用を検出すると注湯待機判定判定手段１８により注湯電磁弁６を閉じ注湯動作を待機する。この待機状態において、給湯流量検出手段９と注湯流量検出手段１０による流量が０Ｌ／分となり、給湯使用検出手段１１が給湯栓１６を使用していないと判定した場合（流量補正値に異常がある）には、注湯待機判定手段１８により注湯電磁弁６を開けて注湯を再開する。この一連の動作において、流量補正異常検出手段２１は、注湯電磁弁６を閉じて注湯待機状態に入った後、所定時間内に再度注湯電磁弁６を開けるような場合、つまり給湯栓１６の使用がないと判定した場合は流量補正が適切に行われていないと判断して流量補正異常を検出する。
【００１６】
流量補正異常検出カウンタ２２は流量補正異常検出手段２１により注湯電磁弁６を閉後、所定時間内に再度注湯電磁弁６を開ける動作を何回行なったかをカウントする。注湯待機無効判定手段２３は流量補正異常検出手段２１により流量補正値が異常であると判断した場合には、給湯流量検出手段９と注湯流量検出手段１０からの流量差を判断して給湯使用検出手段１１が給湯栓１６の使用を検出しても注湯待機判定判定手段１８に注湯電磁弁６を閉じないで注湯を継続させる。流量補正異常時補正手段２４は流量補正異常検出手段２１により流量補正値が異常であると判断した場合には、給湯流量検出手段９と注湯流量検出手段１０から再度補正をやり直す。
【００１７】
以上のように構成された給湯機について、以下その動作、作用を説明する。
【００１８】
まず、本発明の第１の手段の動作について説明すると、熱源機リモコン１の自動スイッチ８をオンすると注湯電磁弁６を開け、浴槽７へ湯張りを開始する。この際の給湯流量検出手段９と注湯流量検出手段１０の流量は、ほぼ同じ流量を検出しているはずである。給湯水量センサ４や注湯水量センサ５のバラツキ等により、給湯流量検出手段９と注湯流量検出手段１０の検出流量に差がある際に、流量補正手段１９は給湯流量検出手段９と注湯流量検出手段１０の流量差を流量補正値として設定する。また、注湯流量検出手段１０は流量補正手段１９からの流量補正値を加減算して注湯流量を算出する。次に、給湯栓１６を使用した際には、給湯流量検出手段９は注湯流量検出手段１０よりも多くなる、この流量差を給湯使用検出手段１１により所定流量以上の差を検出すると、給湯栓１６を使用していると判断し、注湯待機判定手段１８により注湯電磁弁を閉じ注湯動作を待機する。
【００１９】
流量補正手段１９の流量補正値が正しくないとき、特に、給湯栓１６の使用していない場合には同じ流量が流れているのに、給湯流量検出手段９は注湯流量検出手段１０よりも多く検出してしまう場合もあり、給湯使用検出手段１１が給湯栓１６を使用していると誤検出してしまい、注湯待機判定手段１８により注湯電磁弁６を閉じてしまう。注湯電磁弁６を閉じると給湯栓１６は閉じているので、給湯流量検出手段９と注湯流量検出手段１０により検出する流量は、０Ｌ／分となる。注湯電磁弁６が閉じて、給湯流量検出手段９による検出流量が０Ｌ／分の場合には、再度、注湯電磁弁６を開けて注湯を再開する。注湯を再開すると、前述したように給湯使用検出手段１１と注湯待機判定手段１８により注湯電磁弁６を閉じるのを繰り返りすことになる。
【００２０】
流量補正異常検出手段２１は、注湯電磁弁６を閉後にＴ秒以内に注湯電磁弁６を開けるような場合には、流量補正手段１９による給湯流量と注湯流量の補正値が、正しくないと判断する。流量補正値が正しくないと判断した場合には、給湯流量センサ４と注湯流量センサ５の流量差により浴槽７への湯張りを継続する。
【００２１】
以上のように、流量補正手段１９により給湯流量検出手段９と注湯流量検出手段１０による流量の補正が正しく行なわれなかったことを流量補正異常検出手段２１が判断すると、給湯流量センサ４と注湯流量センサ５の流量差により浴槽７への湯張り中に給湯栓の使用を検出せずに湯張りを継続することで誤検出により浴槽への湯張りに時間がかかることをなくすことができる。
【００２２】
また第２の手段では、流量補正異常検出手段２１により、注湯電磁弁６を閉後にＴ秒以内に注湯電磁弁６を開けるような場合には、流量補正異常検出カウンタ２２が、流量補正手段１９による給湯流量と注湯流量の補正値が、正しくないと判断した回数をカウントすることで、流量補正異常検出手段２１は、流量補正異常検出カウンタ２２のカウント数がＸ回以上連続した場合に、正確に流量の補正が行なわれなかったことを判断することができる。
【００２３】
以上のように、流量補正手段１９により給湯流量検出手段９と注湯流量検出手段１０による流量の補正が正しく行なわれなかったことを流量補正異常検出手段２１と流量補正異常検出カウンタ２２により正確に検出することにより、給湯流量センサ４と注湯流量センサ５の流量差により浴槽７への湯張り中に給湯栓の使用を検出せずに湯張りを継続することで誤検出により浴槽７への湯張りに時間がかかることをなくすことができる。
【００２４】
また第３の手段では、流量補正異常検出手段２１が、流量補正手段１９による給湯流量と注湯流量の補正値が、正しくないと判断した場合には、注湯待機無効判定手段２３により給湯流量センサ４と注湯流量センサ５の流量差により浴槽７への湯張り中に給湯栓１６の使用を検出しても注湯待機させずに湯張りを継続することで誤検出により浴槽７への湯張りに時間がかかることをなくすことができる。
【００２５】
また第４の手段では、流量補正異常検出手段２１が、流量補正手段１９による給湯流量センサ４と注湯流量センサ５の補正値が、正しくないと判断した場合には、給湯流量検出手段９と注湯流量検出手段１０の流量差の補正の更新を流量補正異常時補正手段２４によりおこなう。浴槽７への湯張り時に、注湯電磁弁６を開ける。注湯弁電磁弁６を開後、所定時間経過すると、給湯流量検出手段９と注湯流量検出手段１０により給湯栓の使用があるか否かの検出をおこなう。給湯流量検出手段９と注湯流量検出手段１０の流量差が所定流量以上かつ所定時間以上検出すると給湯栓１６を使用していると判断する。給湯栓１６を使用していると判断した時の給湯流量検出手段９と注湯流量検出手段１０の流量差を一旦記憶しておく。次に流量補正異常検出手段２１により給湯栓１６使用検出後に注湯電磁弁６を閉じてからＴ時間以内に注湯電磁弁６を開けて、再度同様に給湯栓１６を使用していると判断した時の給湯流量検出手段９と注湯流量検出手段１０の流量差を記憶する。流量補正異常検出カウンタ２２によりカウントを繰り返しながら、給湯栓１６を使用していると判断した時の給湯流量検出手段９と注湯流量検出手段１０の流量差を記憶していく。流量補正異常検出カウンタ２２によるカウントが所定回数以上を検出すると、流量補正異常時補正手段２４により記憶しておいた、給湯栓１６を使用していると判断した時の給湯流量検出手段９と注湯流量検出手段１０の流量差の平均を流量補正値として更新することで、給湯流量センサ４と注湯流量センサ５の補正値が、正しくない場合でも、湯張り中に給湯栓１６の使用を検出しても注湯待機させずに湯張りを継続すると共に、給湯流量センサ４と注湯流量センサ５の補正を再度実施して補正値を更新することで誤検出により浴槽７への湯張りに時間がかかることをなくすことができる。
【００２６】
また第５の手段では、流量補正異常時補正手段２４に、工場での検査かどうかを判定する工場検査判定手段２０を備えることで、工場での検査であれば、あらかじめ給湯栓１６の使用していないことがわかるため、流量補正異常時補正手段２４による流量の補正をおこなわずに、従来通り給湯流量検出手段９と注湯流量検出手段１０の流量差を流量補正値とする。また注湯流量検出手段１０は、流量補正手段１９からの流量補正値を加減算して注湯流量を算出する。次に給湯栓１６を使用した際には、給湯流量検出手段９は注湯流量検出手段１０よりも多くなる、この流量差を給湯栓１６使用検出手段１１により所定流量以上の差を検出すると、給湯栓１６を使用していると判断し、注湯待機判定手段１８により注湯電磁弁６を閉じ注湯処理を待機する。
【００２７】
以上のように、本実施の形態においては流量補正手段１９が、給湯流量検出手段９と注湯流量検出手段１０の流量差を流量補正することで出荷時の流量補正値の信頼性を向上することができる。
【産業上の利用可能性】
【００２８】
以上のように、本発明にかかる給湯機の制御装置は、給湯流量センサと注湯流量センサの補正値を誤って記憶した場合には、給湯流量センサと注湯流量センサの補正を再度行うことで、浴槽への注湯中に注湯を待機してしまい浴槽への湯張りに時間要さないことができるので、家庭用給湯機に適用できる。
【図面の簡単な説明】
【００２９】
【図１】本発明の実施の形態における給湯機の構成図
【図２】本発明の実施の形態における制御装置のフローチャート
【符号の説明】
【００３０】
３  熱交換器
４  給湯流量センサ
５  注湯流量センサ
６  注湯電磁弁
９  給湯流量検出手段
１０  注湯流量検出手段
１１  給湯使用検出手段
１８  注湯待機判定手段
１９  流量補正手段
２１  流量補正異常検出手段
【図１】
2006329442.tif 000003
【図２】
2006329442.tif 000004